(57)【要約】【課題】適正な照明状況の下で超音波診断装置を使用できるようにする。【解決手段】超音波診断装置（１００）と独立に設置された照明装置（Ｌ）を制御する照明制御部（７６）を具備し、さらに室内の照明状況を検出するための照明状況検出部（７１）と、前記照明状況検出部（７１）で検出した照明状況が適正か否かを判定する照明状況判定部（７４）と、を具備する。前記照明制御部（７６）は、前記照明状況判定部（７４）で判定した結果に応じて照明装置（Ｌ）を制御する。前記照明状況判定部（７４）は、例えば予め設定されていた基準照明情報に基づいて前記照明状況検出部（７１）で検出した照明状況が適正か否かを判定する。【選択図】図１
2011218234.tif 000002
【特許請求の範囲】
【請求項１】
超音波診断装置と独立に設置された照明装置を制御する照明制御手段を具備したことを特徴とする超音波診断装置。
【請求項２】
請求項１に記載の超音波診断装置において、前記照明制御手段は、画像表示条件に対応して予め設定された基準照明情報に応じて前記照明装置を制御することを特徴とする超音波診断装置。
【請求項３】
請求項１に記載の超音波診断装置において、室内の照明状況を検出するための照明状況検出手段と、前記照明状況検出手段で検出した照明状況が適正か否かを判定する照明状況判定手段と、を具備し、
前記照明制御手段は、前記照明状況判定手段で判定した結果に応じて前記照明装置を制御することを特徴とする超音波診断装置。
【請求項４】
請求項３に記載の超音波診断装置において、前記照明状況判定手段は、予め設定されていた基準照明情報に基づいて前記照明状況検出手段で検出した照明状況が適正か否かを判定することを特徴とする超音波診断装置。
【請求項５】
請求項３に記載の超音波診断装置において、操作者が超音波画像を保存した時の照明状況情報および予め設定されていた基準照明情報を前記超音波画像に関連付けて保存する照明情報保存手段を具備し、前記照明状況判定手段は、保存していた超音波画像を操作者が呼び出した時に該超音波画像に関連付けて保存していた照明状況情報および基準照明情報のうち操作者が指定した方に基づいて前記照明状況検出手段で検出した照明状況が適正か否かを判定することを特徴とする超音波診断装置。
【請求項６】
請求項３に記載の超音波診断装置において、操作者が超音波画像を保存した時の照明状況情報を前記超音波画像に関連付けて保存する照明情報保存手段を具備し、前記照明状況判定手段は、保存していた超音波画像を操作者が呼び出した時に該超音波画像に関連付けて保存していた照明状況情報に基づいて前記照明状況検出手段で検出した照明状況が適正か否かを判定することを特徴とする超音波診断装置。
【請求項７】
請求項３から請求項６のいずれかに記載の超音波診断装置において、前記照明状況が、照度および色温度の少なくとも一方であることを特徴とする超音波診断装置。
【請求項８】
請求項１から請求項７のいずれかに記載の超音波診断装置において、現在の照明状況を操作者に報知する照明状況報知手段を具備したことを特徴とする超音波診断装置。
【請求項９】
請求項１から請求項８のいずれかに記載の超音波診断装置において、前記照明制御手段は、前記照明装置を無線制御するリモコンを含むことを特徴とする超音波診断装置。
【請求項１０】
請求項９に記載の超音波診断装置において、前記リモコンは、学習型リモコンであることを特徴とする超音波診断装置。
【発明の詳細な説明】
【技術分野】
【０００１】
本発明は、超音波診断装置に関し、さらに詳しくは、適正な照明状況の下で超音波診断装置を使用できるようにした超音波診断装置に関する。
【背景技術】
【０００２】
従来、超音波診断装置に照明手段（卓上ランプ）を設け、その照明手段の動作を室内の明るさに応じて制御する超音波診断装置が知られている（例えば、特許文献１参照。）。
【先行技術文献】
【特許文献】
【０００３】
【特許文献１】特開２００６−２０７７７号公報（［００３４］［００３８］）
【発明の概要】
【発明が解決しようとする課題】
【０００４】
上記従来の超音波診断装置では、室内の明るさに応じて、超音波診断装置に設けた照明手段を制御している。
しかし、室内が暗すぎる場合に自動的に明るくすることは出来るが、室内が明るすぎる場合に自動的に暗くすることは出来ない。このため、必ずしも操作者が適正な明るさの下で超音波診断装置を使用できるとは限らない問題点がある。
そこで、本発明の目的は、適正な照明状況の下で超音波診断装置を使用できるようにした超音波診断装置を提供することにある。
【課題を解決するための手段】
【０００５】
第１の観点では、本発明は、超音波診断装置と独立に設置された照明装置を制御する照明制御手段を具備したことを特徴とする超音波診断装置を提供する。
上記第１の観点による超音波診断装置では、照明装置を制御して照明状況を調節することが出来る。従って、超音波診断装置と独立に設置された照明装置を操作者がオン／オフしたり調光したりする必要がなくなる。
【０００６】
第２の観点では、本発明は、前記第１の観点による超音波診断装置において、前記照明制御手段は、画像表示条件に対応して予め設定された基準照明情報に応じて前記照明装置を制御することを特徴とする超音波診断装置を提供する。
上記第２の観点による超音波診断装置では、画像表示条件に応じた照明状況に調節することが出来る。
【０００７】
第３の観点では、本発明は、前記第１の観点による超音波診断装置において、室内の照明状況を検出するための照明状況検出手段と、前記照明状況検出手段で検出した照明状況が適正か否かを判定する照明状況判定手段と、を具備し、前記照明制御手段は、前記照明状況判定手段で判定した結果に応じて前記照明装置を制御することを特徴とする超音波診断装置を提供する。
上記第３の観点による超音波診断装置では、室内の照明状況を検出し、現在の照明状況が適正か否かを判定し、その判定結果に応じて適正になるように天井に設置された照明装置を自動的に調節する。これにより、操作者は、適正な照明状況の下で超音波診断装置を使用することが出来る。また、超音波診断装置と独立に設置された照明装置を操作者がオン／オフしたり調光したりする必要がなくなる。
【０００８】
第４の観点では、本発明は、第３の観点による超音波診断装置において、前記照明状況判定手段は、予め設定されていた基準照明情報に基づいて前記照明状況検出手段で検出した照明状況が適正か否かを判定することを特徴とする超音波診断装置を提供する。
上記第４の観点による超音波診断装置では、一般的に適正と考えられる照明状況の下でリアルタイムスキャンを行うことが出来る。
【０００９】
第５の観点では、本発明は、第３の観点による超音波診断装置において、操作者が超音波画像を保存した時の照明状況情報および予め設定されていた基準照明情報を前記超音波画像に関連付けて保存する照明情報保存手段を具備し、前記照明状況判定手段は、保存していた超音波画像を操作者が呼び出した時に該超音波画像に関連付けて保存していた照明状況情報および基準照明情報のうち操作者が指定した方に基づいて前記照明状況検出手段で検出した照明状況が適正か否かを判定することを特徴とする超音波診断装置を提供する。
上記第５の観点による超音波診断装置では、保存していた超音波画像を、該超音波画像を保存した者が該画像を見ていたときの照明状況または一般的に適正と考えられる照明状況の下で見ることが出来る。
【００１０】
第６の観点では、本発明は、第３の観点による超音波診断装置において、操作者が超音波画像を保存した時の照明状況情報を前記超音波画像に関連付けて保存する照明情報保存手段を具備し、前記照明状況判定手段は、保存していた超音波画像を操作者が呼び出した時に該超音波画像に関連付けて保存していた照明状況情報に基づいて前記照明状況検出手段で検出した照明状況が適正か否かを判定することを特徴とする超音波診断装置を提供する。
上記第６の観点による超音波診断装置では、保存していた超音波画像を、該超音波画像を保存した者が該画像を見ていたときの照明状況の下で見ることが出来る。
【００１１】
第７の観点では、本発明は、第３から第６のいずれかの観点による超音波診断装置において、前記照明状況が、照度および色温度の少なくとも一方であることを特徴とする超音波診断装置を提供する。
上記第７の観点による超音波診断装置では、照明の明るさや色温度を適正にすることが出来る。
【００１２】
第８の観点では、本発明は、第１から第７のいずれかの観点による超音波診断装置において、現在の照明状況を操作者に報知する照明状況報知手段を具備したことを特徴とする超音波診断装置を提供する。
上記第８の観点による超音波診断装置では、現在の照明状況を知ることが出来る。
【００１３】
第９の観点では、本発明は、第１から第８のいずれかの観点による超音波診断装置において、前記照明制御手段は、前記照明装置を無線制御するリモコンを含むことを特徴とする超音波診断装置を提供する。
上記第９の観点による超音波診断装置では、照明装置を無線制御して照明状況を調節することが出来る。
【００１４】
第１０の観点では、本発明は、第９の観点による超音波診断装置において、前記リモコンは、学習型リモコンであることを特徴とする超音波診断装置を提供する。
上記第１０の観点による超音波診断装置では、照明装置専用のリモコンから制御信号を学習することにより照明装置を制御できるようになる。
【発明の効果】
【００１５】
本発明の超音波診断装置によれば、適正な照明状況の下で超音波診断装置を使用できるようになる。
【図面の簡単な説明】
【００１６】
【図１】実施例１にかかる超音波診断装置の設置状態を示す説明図である。
【図２】実施例１にかかる超音波診断装置の構成を示すブロック図である。
【図３】実施例１にかかる超音波診断装置による照明制御処理を示すフロー図である。
【図４】実施例３にかかる超音波診断装置の設置状態を示す説明図である。
【図５】実施例３にかかる超音波診断装置の構成を示すブロック図である。
【図６】実施例３にかかる超音波診断装置による照明制御処理を示すフロー図である。
【発明を実施するための形態】
【００１７】
以下、図に示す実施の形態により本発明をさらに詳細に説明する。なお、これにより本発明が限定されるものではない。
【実施例１】
【００１８】
図１は、実施例１にかかる超音波診断装置１００とそれが設置された室内を示す説明図である。
超音波診断装置１００は、室内の照明状況を検出するための光センサ８と、天井に設置された照明装置Ｌの赤外線リモコンＲから制御信号を学習しうる学習型赤外線リモコン７６１と、ＬＣＤやＣＲＴの如きモニタ４１とを具備している。
【００１９】
図２は、超音波診断装置１００の構成を示すブロック図である。
超音波診断装置１００は、超音波探触子１と、超音波探触子１を駆動して被検体内を超音波ビームでスキャンする送受信部２と、超音波エコーを基に超音波画像を生成する画像生成部３と、超音波画像やメッセージをモニタ４１に表示する画像表示部４と、操作者が指示やデータを与えるための操作部５と、超音波画像や照明状況等を記録する記録部６と、制御部７と、光センサ８と、学習型赤外線リモコン７６１とを具備している。
【００２０】
制御部７は、室内の照明状況を光センサ８により検出する照明状況検出部７１と、操作者が超音波画像を記録部６に保存した時の照明状況情報および予め設定されていた基準照明情報を当該超音波画像に関連付けて記録部６に保存する照明情報保存部７２と、記録部６に保存していた超音波画像を操作者が呼び出した時に該超音波画像に関連付けて保存していた照明状況情報および基準照明情報を記録部６から読み出す照明情報読出部７３と、予め設定されていた基準照明情報または記録部６から読み出した照明状況情報または記録部６から読み出した基準照明情報のいずれかに基づいて現在の照明状況が適正か否かを判定する照明状況判定部７４と、現在の照明状況および予め設定されていた基準照明情報および記録部６から読み出した照明状況情報および記録部６から読み出した基準照明情報および照明状況判定部７４で判定した結果を操作者に報知する照明情報報知部７５と、照明状況判定部７４で判定した結果に応じて学習型赤外線リモコン７６１を駆動し照明装置Ｌを制御する照明制御部７６とを含んでいる。
【００２１】
図３は、制御部７による照明制御処理を示すフロー図である。この照明制御処理は、操作者の指示により起動される。
ステップＰ１では、室内の現在の照明状況を光センサ８により検出する。
ステップＰ２では、種々の画像表示条件に対応して予め設定してある基準照明情報を検索し、現在の画像表示条件に対応する基準照明情報を取り出す。
ステップＰ３では、記録部６に保存してある超音波画像を読み出して表示する動作中ならステップＰ４へ進み、そうでないならステップＰ５へ進む。例えばリアルタイムスキャン中ならステップＰ４へ進む。
ステップＰ４では、記録部６から読み出した超音波画像に関連付けられた照明状況情報が記録部６に保存されていないならステップＰ５へ進み、保存されているならステップＰ７へ進む。例えば、超音波画像に関連付けて照明状況情報を保存する機能を有さない超音波診断装置で超音波画像を保存したメディアを記録部６にセットして超音波画像を読み出した場合はステップＰ５へ進む。
【００２２】
ステップＰ５では、ステップＰ１で検出した現在の照明状況とステップＰ２で取り出した基準照明情報とを比較し、現在の照明状況が適正か否かを判定する。
ステップＰ６では、ステップＰ１で検出した現在の照明状況と、ステップＰ２で取り出した基準照明情報と、判定結果とを操作者に報知する。現在の照明状況および基準照明情報の報知は、例えば照度および／または色温度をモニタ４１に表示する。判定結果の報知は、例えば「適正」「明るい」「暗い」のような相対指標あるいは照度差をモニタ４１に表示する。そして、ステップＰ１１へ進む。
【００２３】
ステップＰ７では、記録部６から読み出した超音波画像に関連付けられた照明状況情報および基準照明情報を記録部６から読み出す。
ステップＰ８では、ステップＰ２で取り出した基準照明情報と、ステップＰ７で読み出した照明状況情報および基準照明情報のいずれかを操作者に指定させる。
ステップＰ９では、ステップＰ１で検出した現在の照明状況とステップＰ８で指定された情報とを比較し、現在の照明状況が適正か否かを判定する。
ステップＰ１０では、ステップＰ１で検出した現在の照明状況と、ステップＰ２で取り出した基準照明情報と、ステップＰ７で読み出した照明状況情報および基準照明情報と、判定結果とを操作者に報知する。そして、ステップＰ１１へ進む。
【００２４】
ステップＰ１１では、ステップＰ６またはステップＰ９で判定した結果に応じて学習型赤外線リモコン７６１を駆動し照明装置Ｌを制御する。そして、処理を終了する。
【００２５】
実施例１の超音波診断装置１００によれば、適正な照明状況の下で超音波診断装置１００を使用できるようになる。また、超音波診断装置１００と独立に設置された照明装置Ｌを操作者がオン／オフしたり調光したりする必要がなくなる。
【実施例２】
【００２６】
実施例１の超音波診断装置１００から照明制御部７６，学習型赤外線リモコン７６１および図３のステップＰ１１を省略してもよい。
この場合、操作者がモニタ４１の表示を参考にして赤外線リモコンＲを操作すれば、適正な照明状況にすることが出来る。
【実施例３】
【００２７】
図４は、実施例３にかかる超音波診断装置２００とそれが設置された室内を示す説明図である。
超音波診断装置２００は、天井に設置された照明装置Ｌの赤外線リモコンＲから制御信号を学習しうる学習型赤外線リモコン７６１と、ＬＣＤやＣＲＴの如きモニタ４１とを具備している。
【００２８】
図５は、超音波診断装置２００の構成を示すブロック図である。
超音波診断装置２００は、超音波探触子１と、超音波探触子１を駆動して被検体内を超音波ビームでスキャンする送受信部２と、超音波エコーを基に超音波画像を生成する画像生成部３と、超音波画像やメッセージをモニタ４１に表示する画像表示部４と、操作者が指示やデータを与えるための操作部５と、制御部９と、学習型赤外線リモコン９３１とを具備している。
【００２９】
制御部９は、画像表示条件に対応して予め設定されている基準照明情報を検索して現在の画像表示条件に適した基準照明情報を取り出す基準照明情報取出部９１と、取り出した基準照明情報を操作者に報知する基準照明情報報知部９２と、基準照明情報に応じて学習型赤外線リモコン９３１を駆動し照明装置Ｌを制御する照明制御部９３とを含んでいる。
【００３０】
図６は、制御部９による照明制御処理を示すフロー図である。この照明制御処理は、操作者の指示により起動される。
ステップＳ１では、種々の画像表示条件に対応して予め設定してある基準照明情報を検索し、現在の画像表示条件に対応する基準照明情報を取り出す。
ステップＳ２では、ステップＳ１で取り出した基準照明情報を操作者に報知する。基準照明情報の報知は、例えば照度や「全光」「調光」「常夜灯」「消灯」のような指標をモニタ４１に表示する。
ステップＳ３では、ステップＳ１で取り出した基準照明情報に応じて学習型赤外線リモコン９３１を駆動し照明装置Ｌを制御する。そして、処理を終了する。
【００３１】
実施例３の超音波診断装置２００によれば、適正な照明状況の下で超音波診断装置２００を使用できるようになる。また、超音波診断装置２００と独立に設置された照明装置Ｌを操作者がオン／オフしたり調光したりする必要がなくなる。
【実施例４】
【００３２】
照明状況を段階的にしか調節できない場合は、最も好ましい段階に調節すると共に調節後の照明状況に合わせて画像表示条件を微調整するのが好ましい。
【実施例５】
【００３３】
照明の調節に加えて、空調装置の調節の指標を超音波診断装置で報知したり、超音波診断装置で空調装置を制御してもよい。
【符号の説明】
【００３４】
７                  制御部
７１                照明状況検出部
７２                照明情報保存部
７３                照明情報読出部
７４                照明状況判定部
７５                照明情報報知部
７６                照明制御部
７６１              学習型赤外線リモコン
８                  光センサ
９                  制御部
９１                基準照明情報取出部
９２                基準照明情報報知部
９３                照明制御部
１００、２００      超音波診断装置
Ｌ                  照明装置
Ｒ                  赤外線リモコン
【図１】
2011218234.tif 000003
【図２】
2011218234.tif 000004
【図３】
2011218234.tif 000005
【図４】
2011218234.tif 000006
【図５】
2011218234.tif 000007
【図６】
2011218234.tif 000008